(57)【要約】アップリンク参照信号を送信するためのメカニズムが提供される。方法は、端末デバイスによって実行される。この方法はネットワークノードから、アップリンク参照信号の送信の設定を取得することを含む。設定は、アップリンク参照信号が送信されるべき第１の周波数区間のインジケーションを含む。方法は、第１の周波数区間についてのチャネル情報に基づいて、第１の周波数区間にわたってアップリンク参照信号を送信するために利用可能な送信電力を分配することを含む。方法は、分配された送信電力に従ってアップリンク参照信号を送信することを含む。【選択図】図３
2021521717.tif 000002
【特許請求の範囲】
【請求項１】
アップリンク参照信号を送信するための方法であって、前記方法は、端末デバイス（２００）によって実行され、前記方法は、
ネットワークノード（３００）から、前記アップリンク参照信号の送信の設定を取得すること（Ｓ１０２）であって、前記設定は、前記アップリンク参照信号が送信されるべき第１の周波数区間のインジケーションを含む、ことと、
前記第１の周波数区間に対するチャネル情報に基づいて、前記アップリンク参照信号を送信するために利用可能な送信電力を、前記第１の周波数区間にわたって分配すること（Ｓ１０８）と、
前記分配された送信電力に従って前記アップリンク参照信号を送信すること（Ｓ１１０）を含む、方法。
【請求項２】
前記第１の周波数区間は、少なくとも２つのサブバンドを含む、請求項１に記載の方法。
【請求項３】
前記少なくとも２つのサブバンドは連続している、請求項２に記載の方法。
【請求項４】
前記送信電力は、前記少なくとも２つのサブバンドのうちの少なくとも２つにわたって分配される、請求項３に記載の方法。
【請求項５】
前記少なくとも２つのサブバンドは不連続である、請求項２に記載の方法。
【請求項６】
前記送信電力は、１つの単一のサブバンドにわたってのみ分配される、請求項２に記載の方法。
【請求項７】
前記第１の周波数区間は、単一のサブバンドを含む、請求項１に記載の方法。
【請求項８】
前記端末デバイス（２００）および前記ネットワークノード（３００）は、アクティブシステム帯域幅を有する通信システムにおいて互いに通信し、前記単一のサブバンドは、前記アクティブシステム帯域幅の全体に及ぶ、請求項７に記載の方法。
【請求項９】
前記送信電力は、１つ未満のサブバンドにわたって分配される、請求項２または７に記載の方法。
【請求項１０】
前記送信電力は、前記第１の周波数区間における周波数帯域のセットに対してのみ非ゼロとなるように分配される、請求項１に記載の方法。
【請求項１１】
前記周波数帯域のセットは、第２の周波数区間を定義する、請求項１０に記載の方法。
【請求項１２】
前記第２の周波数区間は連続している、請求項１１に記載の方法。
【請求項１３】
前記送信電力は、前記第２の周波数区間内で均一に分配される、請求項１１に記載の方法。
【請求項１４】
前記アップリンク参照信号を送信する前に、前記第２の周波数区間についてネットワークノード（３００）に通知すること（Ｓ１０６）をさらに含む、請求項１１に記載の方法。
【請求項１５】
前記アップリンク参照信号は、前記第２の周波数区間内に適合する数と同じ数のサブキャリアを使用して送信される、請求項１３または１４に記載の方法。
【請求項１６】
前記送信電力は、関数に従って分配される、請求項１に記載の方法。
【請求項１７】
前記アップリンク参照信号を送信するために使用されるべき最大送信電力のインジケーションを取得すること（Ｓ１０４）をさらに含み、前記分配された送信電力は、前記最大送信電力に従って重み付けされる、請求項１に記載の方法。
【請求項１８】
前記チャネル情報は、高いチャネル品質を有する周波数部分と、前記高い品質未満を有する周波数部分とを示し、前記送信電力は、前記第１の周波数区間内で、前記高い品質未満を有する周波数部分よりも高いチャネル品質を有する周波数部分により多くの送信電力が割り当てられるように分配される、請求項１に記載の方法。
【請求項１９】
前記アップリンク参照信号は、送信発生時に送信され、２つの隣接する送信発生時に送信される前記アップリンク参照信号は互いに異なる送信電力分布を有する、請求項１に記載の方法。
【請求項２０】
前記チャネル情報は、前記ネットワークノード（３００）から取得される、請求項１に記載の方法。
【請求項２１】
前記チャネル情報は、前記端末デバイス（２００）自身によって推定される、請求項１に記載の方法。
【請求項２２】
前記設定は、前記端末デバイス（２００）が前記アップリンク参照信号を送信するためのインジケーションをさらに含み、前記アップリンク参照信号は、それに応答して送信される、請求項１に記載の方法。
【請求項２３】
前記アップリンク参照信号は、サウンディング参照信号（ＳＲＳ）である、請求項１に記載の方法。
【請求項２４】
前記ＳＲＳは、前記ネットワークノード（３００）によって設定されたＳＲＳリソースのセットから選択され、前記分配された送信電力に従った前記ＳＲＳの送信は、前記ネットワークノード（３００）によってトリガされる、請求項２３に記載の方法。
【請求項２５】
アップリンク参照信号の送信を開始するための方法であって、前記方法は、ネットワークノード（３００）によって実行され、前記方法は、
端末デバイス（２００）に、前記端末デバイス（２００）からの前記アップリンク参照信号の送信の設定を提供すること（Ｓ２０２）であって、前記設定は、前記アップリンク参照信号が送信されるべき第１周波数区間のインジケーションを含む、ことと、
前記端末デバイス（２００）から前記アップリンク参照信号を受信する（Ｓ２０８）ことであって、前記アップリンク参照信号は、前記第１周波数区間に対するチャネル情報に基づいて分配されたそれぞれの送信電力を有すること、を含む方法。
【請求項２６】
端末デバイス（２００）に、前記アップリンク参照信号の送信に用いる最大送信電力のインジケーションを提供すること（Ｓ２０４）をさらに含む、請求項２５に記載の方法。
【請求項２７】
前記分配される送信電力のみが、第２の周波数区間内で非ゼロになるように分配される、請求項２５に記載の方法。
【請求項２８】
前記第２の周波数区間を決定するためにチャネル検出を実行すること（Ｓ２１０）をさらに含む、請求項２７に記載の方法。
【請求項２９】
前記端末デバイス（２００）から、前記アップリンク参照信号を受信する前に前記第２の周波数区間の通知を取得すること（Ｓ２０６）をさらに含む、請求項２７に記載の方法。
【請求項３０】
前記受信したアップリンク参照信号に基づいてチャネル推定を実行すること（Ｓ２１２）をさらに含む、請求項２５に記載の方法。
【請求項３１】
前記チャネル推定に基づいて（Ｓ２１４）ビームフォーミング重みを選択すること（Ｓ２１４）と、
前記端末デバイス（２００）へのダウンリンク送信中にビームフォーミング重みを適用する（Ｓ２１６）ことをさらに含む、請求項３０に記載の方法。
【請求項３２】
アップリンク参照信号を送信するための端末デバイス（２００）であって、前記端末デバイス（２００）は、処理回路（２１０）を備え、前記処理回路は、前記端末デバイス（２００）に、
ネットワークノード（３００）から、前記アップリンク参照信号の送信の設定を取得することであって、前記設定は、前記アップリンク参照信号が送信されるべき第１の周波数区間のインジケーションを含む、ことと、
前記第１の周波数区間に対するチャネル情報に基づいて、前記アップリンク参照信号を送信するために利用可能な送信電力を、前記第１の周波数区間にわたって分配することと、
前記分配された送信電力に従って前記アップリンク参照信号を送信すること、を行わせるように構成されている端末デバイス。
【請求項３３】
アップリンク参照信号を送信するための端末デバイス（２００）であって、前記端末デバイス（２００）は、
ネットワークノード（３００）から、前記アップリンク参照信号の送信の設定を取得するように構成された取得モジュール（２１０ａ）であって、前記設定は、前記アップリンク参照信号が送信されるべき第１の周波数区間のインジケーションを含む、取得モジュールと、
前記第１の周波数区間に対するチャネル情報に基づいて、前記アップリンク参照信号を送信するために利用可能な送信電力を、前記第１の周波数区間にわたって分配するように構成された分配モジュール（２１０ｄ）と、
前記分配された送信電力に従って前記アップリンク参照信号を送信するように構成された送信モジュール（２１０ｅ）と、を備える、端末デバイス。
【請求項３４】
請求項３２または３３に記載の端末デバイス（２００）であって、さらに、請求項２から２４のいずれか１項に記載の方法を実行するように構成されている、端末デバイス。
【請求項３５】
アップリンク参照信号の送信を開始するためのネットワークノード（３００）であって、前記ネットワークノード（３００）は、処理回路（３１０）を備え、前記処理回路は、前記ネットワークノード（３００）に、
端末デバイス（２００）に、前記端末デバイス（２００）からの前記アップリンク参照信号の送信の設定を提供することであって、前記設定は、前記アップリンク参照信号が送信されるべき第１の周波数区間のインジケーションを含む、ことと、
前記端末デバイス（２００）から前記アップリンク参照信号を受信することであって、前記アップリンク参照信号は、前記第１の周波数区間に対するチャネル情報に基づいて分配されたそれぞれの送信電力を有すること、を行わせるように構成されているネットワークノード。
【請求項３６】
アップリンク参照信号の送信を開始するためのネットワークノード（３００）であって、前記ネットワークノード（３００）は、
端末デバイス（２００）に、前記端末デバイス（２００）からの前記アップリンク参照信号の送信の設定を提供するように構成された構成されたモジュール（３１０ａ）であって、前記設定は、前記アップリンク参照信号が送信されるべき第１の周波数区間のインジケーションを含む、提供モジュールと、
前記端末デバイス（２００）から前記アップリンク参照信号を受信するように構成された受信モジュール（３１０ｄ）であって、前記アップリンク参照信号は、前記第１の周波数区間に対するチャネル情報に基づいて分配された送信電力を有する、受信モジュールと、を備える、ネットワークノード。
【請求項３７】
請求項３５または３６に記載のネットワークノード（３００）であって、さらに、請求項２６から３１のいずれか１項に記載の方法を実行するように構成されているネットワークノード。
【請求項３８】
アップリンク参照信号を送信するためのコンピュータプログラム（１２２０ａ）であって、端末デバイス（２００）の処理回路（２１０）上で実行されると、前記端末デバイス（２００）に、
ネットワークノード（３００）から、前記アップリンク参照信号の送信の設定を取得すること（Ｓ１０２）であって、前記設定は、前記アップリンク参照信号が送信されるべき第１の周波数区間のインジケーションを含む、ことと、
前記第１の周波数区間に対するチャネル情報に基づいて、前記アップリンク参照信号を送信するために利用可能な送信電力を、前記第１の周波数区間にわたって分配すること（Ｓ１０８）と、
前記分配された送信電力に従って前記アップリンク参照信号を送信すること（Ｓ１１０）、を行わせるコンピュータコードを含むコンピュータプログラム。
【請求項３９】
アップリンク参照信号の送信を開始するためのコンピュータプログラム（１２２０ｂ）であって、ネットワークノード（３００）の処理回路（３１０）上で実行されると、前記ネットワークノード（３００）に、
端末デバイス（２００）に、前記端末デバイス（２００）からの前記アップリンク参照信号の送信の設定を提供すること（Ｓ２０２）であって、前記設定は、前記アップリンク参照信号が送信されるべき第１周波数区間のインジケーションを含む、ことと、
前記端末デバイス（２００）から前記アップリンク参照信号を受信する（Ｓ２０８）ことであって、前記アップリンク参照信号は、前記第１周波数区間に対するチャネル情報に基づいて分配されたそれぞれの送信電力を有すること、を行わせるコンピュータコードを含むコンピュータプログラム。
【請求項４０】
請求項３８及び３９の少なくとも１項に記載されたコンピュータプログラム（１２２０ａ、１２２０ｂ）と、前記コンピュータプログラムが記憶されるコンピュータ可読記憶媒体（１２３０）から成る、コンピュータプログラム製品（１２１０ａ、１２１０ｂ）。
【発明の詳細な説明】
【技術分野】
【０００１】
本明細書で提示される実施形態は、アップリンク参照信号を送信するための方法、端末デバイス、コンピュータプログラム、およびコンピュータプログラム製品に関する。本明細書で提示される実施形態はさらに、アップリンク参照信号の送信を開始するための方法、ネットワークノード、コンピュータプログラム、およびコンピュータプログラム製品に関する。
【背景技術】
【０００２】
通信ネットワークにおいて、与えられた通信プロトコル、そのパラメータ、および通信ネットワークが配備される物理的環境に対して、良好な性能と容量を得るための課題があり得る。
【０００３】
一部の通信ネットワークは、時分割複信（ＴＤＤ）のために配備されている。ＴＤＤの１つの利点は、（周波数分割複信（ＦＤＤ））と比較して）ＴＤＤがネットワーク側（すなわち、ダウンリンク（ＤＬ））およびユーザ側（すなわち、アップリンク（ＵＬ））の両方で適用することができる相互関係／相反性（reciprocity）ベースのビームフォーミングを可能にすることである。相互関係ベースのＤＬ送信端末デバイスの場合、ユーザ側の送信端末デバイスは、ネットワーク側のネットワークノードがネットワークノードと端末デバイスとの間の無線伝搬チャネルを推定するために使用することができるサウンディング参照信号（Sounding Reference Signal（ＳＲＳ））を送信することができる。次いで、チャネル推定は、例えば、いわゆる固有ビームフォーミング（eigen-beamforming）を使用することによって、端末デバイスへの来るべきＤＬ送信のための最適なプリコーディング重みを見つけるために、ネットワークノードにおいて使用され得る。ＳＲＳは好ましくは周波数選択プリコーディングおよび/または周波数選択スケジューリングを容易にするために、通信ネットワークの動作周波数帯域幅全体にわたるべきである。
【０００４】
相互関係に基づくＤＬビームフォーミングのためのシステム性能は、チャネル推定品質を劣化させる不十分な（poor）ＳＲＳカバレッジによって制限され得る。比較的高い周波数帯（例えば、ミリメートル波長（ｍｍＷ）で、即ち、３０ＧＨｚ付近及びそれを超える）を利用する通信ネットワークにおいて、ＳＲＳのためのリンクバジェットは比較的高くなり得、部分的に、ＳＲＳのためのより高いキャリア周波数（経路損失がより高い）及びより大きな帯域幅（より少ないパワースペクトル密度（ＰＳＤ）をもたらす）のために、比較的高くなり得る。
【０００５】
ＳＲＳリンクバジェットを改善するために、様々な方法が提案されている。１つの例は、周波数ホッピングであり、図１（ａ）に示されている。ここで、ＳＲＳは、異なる直交周波数分割多重化（ＯＦＤＭ）シンボルに対して、周波数において異なるリソースが割り当てられている。周波数ホッピングのために、周波数帯域の異なる部分は異なるＯＦＤＭシンボルでサウンディングされ、これはＰＳＤがＳＲＳのために増大することを意味する。別の例は、図１（ｂ）に例示されているように、複数のＯＦＤＭシンボルにわたって同じＳＲＳを繰り返すことである。ここで、ＳＲＳは、各ＯＦＤＭシンボルに対して全周波数区間（間隔）でリソースが割り当てられており、それはますます多くのＯＦＤＭシンボルが復号されるにつれてＳＲＳの処理利得を増加させるのであろう。さらに別の例は、ネットワークノードが周波数帯域のある部分でＳＲＳのみを送信するように端末デバイスに通知することであり、これはＳＲＳのＰＳＤを増加させることになる。
【０００６】
ＳＲＳ送信は、ＤＬ方向の無線伝搬チャネルが頻繁に推定され得るように、ＤＬ相互関係に基づく動作に適用され得る。ＳＲＳ送信が周期的である場合、ＳＲＳ送信は一般に、高レイヤ信号（無線リソース制御、ＲＲＣなど）を使用して構成され、したがって、例えば、高速フェージングを追跡するために、非常に迅速に更新することができない。しかしながら、ネットワークノードは、長期的なチャネル特性（たとえば、高いパスロス）に対抗するため、例えば図１（ａ）および１（ｂ）に示されるものように、よりロバストなスキームにＳＲＳ送信を適応させることが可能であり得る。
【０００７】
図１に示した２つの方法の一つの欠点は、ＳＲＳ送信に複数のＯＦＤＭシンボルが必要であることである。これは、オーバーヘッド及び待ち時間（レイテンシ）を増加させる。
【０００８】
さらに、ＳＲＳのサウンディング帯域幅を減少させることは、ネットワークノードが周波数帯域の一部のチャネル推定値のみを有することにつながる。無線伝搬チャネルが周波数選択性であれば、発音周波数帯域が周波数帯域の比較的悪い部分に属する可能性があり、これはＤＬ性能と同様に、ＳＲＳに対するリンクバジェットを減少させるのであろう。
【０００９】
したがって、改善されたチャネル推定を可能にするメカニズム（機構）が依然として必要である。
【発明の概要】
【００１０】
本明細書の実施形態の目的は、アップリンク参照信号の効率的な送信によって、改善されたチャネル推定を可能にすることである。
【００１１】
第１の態様によれば、アップリンク参照信号を送信するための方法が提示される。この方法は、端末デバイスによって実行される。方法はネットワークノードから、アップリンク参照信号の送信の設定を取得することを含む。設定は、アップリンク参照信号が送信されるべき第１の周波数区間（間隔）のインジケーション（指標／指示）を含む。方法は、第１の周波数区間についてのチャネル情報に基づいて、第１の周波数区間にわたってアップリンク参照信号を送信するために利用可能な送信電力を分配することを含む。方法は、分配された送信電力に従ってアップリンク参照信号を送信することを含む。
【００１２】
第２の態様によれば、アップリンク参照信号を送信するための端末デバイスが提示される。端末デバイスは、処理回路を備える。処理回路は、端末デバイスに、ネットワークノードから、アップリンク参照信号の送信の設定を取得するように構成される。設定は、アップリンク参照信号が送信されるべき第１の周波数区間のインジケーションを含む。処理回路は、第１の周波数区間についてのチャネル情報に基づいて、第１の周波数区間にわたってアップリンク参照信号を送信するために利用可能な送信電力を端末デバイスに分配させるように構成される。処理回路は、端末デバイスに、分配された送信電力に従ってアップリンク参照信号を送信させるように構成される。
【００１３】
第３の態様によれば、アップリンク参照信号を送信するための端末デバイスが提示される。端末デバイスは、アップリンク参照信号の送信の設定をネットワークノードから取得するように構成された取得モジュールを備える。設定は、アップリンク参照信号が送信されるべき第１の周波数区間のインジケーションを含む。端末デバイスは、第１の周波数区間についてのチャネル情報に基づいて第１の周波数区間にわたってアップリンク参照信号を送信するために利用可能な送信電力を分配するように構成された分配モジュールを備える。端末デバイスは、分配された送信電力に従ってアップリンク参照信号を送信するように構成された送信モジュールを備える。
【００１４】
第４の態様によれば、アップリンク参照信号を送信するためのコンピュータプログラムが提示され、このコンピュータプログラムは、端末デバイスの処理回路上で実行されると、端末デバイスに第１の態様による方法を実行させるコンピュータプログラムコードを含む。
【００１５】
第５の態様によれば、アップリンク参照信号の送信を開始するための方法が提示される。この方法は、ネットワークノードによって実行される。方法は端末デバイスに、端末デバイスからのアップリンク参照信号の送信の設定を提供することを含む。設定は、アップリンク参照信号が送信されるべき第１の周波数区間のインジケーションを含む。方法は、端末デバイスからアップリンク参照信号を受信することを含む。アップリンク参照信号は、第１周波数区間に対するチャネル情報に基づいて分配された、それぞれの（それらの）送信電力を有する。
【００１６】
第６の態様によれば、アップリンク参照信号の送信を開始するためのネットワークノードが提示される。ネットワークノードは、処理回路を備える。処理回路は端末デバイスに、端末デバイスからのアップリンク参照信号の送信の設定をネットワークノードに提供させるように構成される。設定は、アップリンク参照信号が送信されるべき第１の周波数区間のインジケーションを含む。処理回路は、ネットワークノードに端末デバイスからアップリンク参照信号を受信させるように構成される。アップリンク参照信号は、第１周波数区間に対するチャネル情報に基づいて分配された、それぞれの送信電力を有する。
【００１７】
第７の態様によれば、アップリンク参照信号の送信を開始するためのネットワークノードが提示される。ネットワークノードは、端末デバイスからのアップリンク参照信号の送信の設定を端末デバイスに提供するように構成された提供モジュールを備える。設定は、アップリンク参照信号が送信されるべき第１の周波数区間のインジケーションを含む。ネットワークノードは、端末デバイスからアップリンク参照信号を受信するように構成された受信モジュールを備える。アップリンク参照信号は、第１周波数区間に対するチャネル情報に基づいて分配された、それぞれの送信電力を有する。
【００１８】
第８の態様によれば、アップリンク参照信号の送信を開始するためのコンピュータプログラムが提示され、このコンピュータプログラムは、ネットワークノードの処理回路上で実行されると、ネットワークノードに第５の態様による方法を実行させるコンピュータプログラムコードを含む。
【００１９】
第９の態様によれば、第４の態様および第８の態様のうちの少なくとも１つによるコンピュータプログラムと、コンピュータプログラムが格納されるコンピュータ可読記憶媒体とを備えるコンピュータプログラム製品が提示される。コンピュータ可読記憶媒体は、一時的でないコンピュータ可読記憶媒体であってもよい。
【００２０】
有利には、これらの方法、これらの端末デバイス、これらのネットワークノード、およびこれらのコンピュータプログラムは、アップリンク参照信号の効率的な伝送の手段によって、改善されたチャネル推定を効率的に可能にする。
【００２１】
有利には、これらの方法、これらの端末デバイス、これらのネットワークノード、およびこれらのコンピュータプログラムはオーバーヘッドシグナリングを低減し、待ち時間を低減することを可能にする。
【００２２】
チャネル情報に基づいてアップリンク参照信号を時間/周波数リソースに割り当てると、ＤＬ性能と同様にアップリンク参照信号のチャネル推定が改善される。
【００２３】
添付の実施形態の他の目的、特徴、および利点は、以下の詳細な開示、添付の従属請求項、ならびに図面から明らかになるのであろう。
【００２４】
一般に、特許請求の範囲において使用される全ての用語は本明細書において特に明確に定義されない限り、技術分野におけるそれらの通常の意味に従って解釈されるべきである。「a/an/the 要素、装置、構成要素、手段、モジュール、ステップ等」への全ての基準は特に明記しない限り、要素、装置、構成要素、手段、モジュール、ステップ等の少なくとも１つのインスタンスを指すものとしてオープンに解釈されるべきである。本明細書に開示された任意の方法のステップは、明示的に述べられていない限り、開示された正確な順序で実行される必要はない。
【図面の簡単な説明】
【００２５】
本発明の概念は、添付の図面を参照して、例として説明される:
【図１】図１は、ＳＲＳの送信のためにリソースをどのように割り当てるかの概略図を示す。
【図２】図２は、実施形態による通信ネットワークを示す概略図である。
【図３】図３は、実施形態による方法のフローチャートである。
【図４】図４は、実施形態による方法のフローチャートである。
【図５】図５は、実施形態によるアップリンク参照信号の送信のためのサブバンドへの送信電力の分配の概略図である。
【図６】図６は、実施形態によるアップリンク参照信号の送信のためのサブバンドへの送信電力の分配の概略図である。
【図７】図７は、一実施形態によるシグナリング図である。
【図８】一実施形態による端末デバイスの機能ユニットを示す概略図である。
【図９】一実施形態による端末デバイスの機能モジュールを示す概略図である。
【図１０】図１０は、一実施形態によるネットワークノードの機能ユニットを示す概略図である。
【図１１】図１１は、一実施形態によるネットワークノードの機能モジュールを示す概略図である。
【図１２】図１２は、一実施形態によるコンピュータ可読手段を備えるコンピュータプログラムプロダクトの一例を示す。
【発明を実施するための形態】
【００２６】
本発明の概念は、本発明の概念の特定の実施形態が示されている添付の図面を参照して、以下でより完全に説明される。しかしながら、本発明の概念は多くの異なる形態で具現化されてもよく、本明細書に記載された実施形態に限定されるものとして解釈されるべきではなく、むしろ、これらの実施形態は本開示が完全かつ完全であり、本発明の概念の範囲を当業者に完全に伝えるように、例として提供される。説明全体を通して、同じ番号は同じ要素を指す。破線によって示される任意のステップまたは特徴は、任意（オプション）であるとみなされるべきである。
【００２７】
図２は、本明細書で提示される実施形態を適用することができる通信ネットワーク１００を示す概略図である。通信ネットワーク１００は第３世代（３Ｇ）電気通信ネットワーク、第４世代（４Ｇ）電気通信ネットワーク、または第５世代（５Ｇ）電気通信ネットワークとすることができ、適用可能な場合は、任意の３ＧＰＰ電気通信標準をサポートする。
【００２８】
通信ネットワーク１００は、送受信ポイント（ＴＲＰ）４００を介して、無線アクセスネットワーク１１０内の少なくとも１つの端末デバイス２００へのネットワークアクセスを提供するように構成されたネットワークノード３００を含む。無線アクセスネットワーク１１０は、コアネットワーク１２０に動作可能に接続される。コアネットワーク１２０は次に、インターネットのようなサービスネットワーク１３０に動作的に接続される。これにより、端末デバイス２００は、ＴＲＰ４００およびネットワークノード３００を介して、サービスネットワーク１３０のサービスにアクセスし、データを交換することが可能になる。
【００２９】
ネットワークノード３００の例は、無線アクセスネットワークノード、無線基地局、基地局トランシーバステーション、ノードＢ、進化（evolved）ノードＢ、ｇノードＢ、アクセスポイント、およびアクセスノード、およびバックホールノードである。端末デバイス２００の例は、無線デバイス、移動局、携帯電話、ハンドセット、無線ローカルループ電話、ユーザ機器（ＵＥ）、スマートフォン、ラップトップコンピュータ、タブレットコンピュータ、ネットワーク搭載センサ、ネットワーク搭載車両、および、いわゆるモノのインターネット（Internet of Things）デバイスである。
【００３０】
ネットワークノード３００は、ＴＲＰ４００を介して、ビーム１４０で端末デバイス２００と通信するように構成され、端末デバイス２００はビーム１５０でネットワークノード３００と通信するように構成される。さらに、ネットワークノード３００および端末デバイス２００は、異なる形状および幅を有する様々なビームを使用して互いに通信するように構成され得、本明細書では一般に異なるビームパターンを有すると呼ばれる。
【００３１】
上述のように、改善されたチャネル推定を可能にするメカニズムが依然として必要とされている。したがって、本明細書の実施形態の目的は、アップリンク参照信号の効率的な送信によって、改善されたチャネル推定を可能にすることである。この点に関し、アップリンクリンクバジェットは特定のシナリオにおいて、および、いくつかの端末デバイス２００に対して不十分であるため、端末デバイス２００にとっては、ＰＳＤ、従ってアップリンク参照信号の受信信号対干渉プラス雑音比（ＳＩＮＲ）を増加させるために、アップリンク参照信号のための利用可能な送信電力を比較的狭い周波数区間（間隔）に集中させることが、有益であり得る。これは、例えば、アップリンク参照信号から導出されたチャネル推定が、相互関係ベースのＤＬビームフォーミングと共に使用するためのＤＬプリコーダ重みを決定するためにネットワークノード３００によって使用される場合、典型的には高品質のチャネル推定を必要とするので、有益であり得る。これは、アップリンク参照信号から導出されたチャネル推定がＵＬリンク適応のために使用される場合にも有益であり得る。
【００３２】
このように、本明細書に開示される実施形態は、アップリンク参照信号を送信し、アップリンク参照信号の送信を開始するメカニズムに関する。このようなメカニズムを得るために、端末デバイス２００、端末デバイス２００によって実行される方法、例えばコンピュータプログラムの形態のコードを含むコンピュータプログラム製品が提供され、端末デバイス２００の処理回路上で実行されると、端末デバイス２００に当該方法を実行させる。このようなメカニズムを得るために、ネットワークノード３００、ネットワークノード３００によって実行される方法、およびネットワークノード３００の処理回路上で実行されるときにネットワークノード３００に当該方法を実行させる、例えばコンピュータプログラムの形態のコードを含むコンピュータプログラム製品がさらに提供される。
【００３３】
ここで、一実施形態による端末デバイス２００によって実行されるアップリンク参照信号を送信する方法を示す図３を参照する。
【００３４】
アップリンク参照信号は、端末デバイス２００によって送信されるものとする。端末デバイス２００は、したがって、ステップＳ１０２を実行するように構成されている:
【００３５】
Ｓ１０２：端末デバイス２００は、ネットワークノード３００から、アップリンク参照信号の送信の設定を取得する。設定は、アップリンク参照信号が送信されるべき第１の周波数区間のインジケーション（指標／指示）を含む。
【００３６】
アップリンク参照信号の送信のために（例えば、ＤＬ相互関係の動作のために）、ネットワークノード３００は、端末デバイス２００が（例えば、ＤＬ参照信号からの相互関係に基づいて）アップリンク参照信号を送信するために利用可能な送信電力を第１の周波数区間にわたってどのように分配するかをを選択することを可能にする。具体的には、端末デバイス２００がステップＳ１０８を実行するように構成されている：
【００３７】
Ｓ１０８：端末デバイス２００は、第１の周波数区間に対するチャネル情報に基づいて、第１の周波数区間にわたってアップリンク参照信号を送信するために利用可能な送信電力を分配する。
【００３８】
端末デバイス２００は、アップリンク参照信号を送信する。具体的には、端末デバイス２００がステップＳ１１０を実行するように構成されている：
【００３９】
Ｓ１１０：端末デバイス２００は、分配された送信電力に従ってアップリンク参照信号を送信する。
【００４０】
ここで、端末デバイス２００によって実行されるようなアップリンク参照信号を送信することのさらなる詳細に関連する実施形態が開示される。
【００４１】
端末デバイス２００が第１の周波数区間にわたって送信電力を分配する方法は異なる場合がある。次に、それに関連する様々な実施形態を順に説明する。
【００４２】
いくつかの態様では、第１の周波数区間は、単一のサブバンドを含む。いくつかの態様では、端末デバイス２００が第１の周波数区間の一部をどのように分配するかを決定するために、まず、広帯域参照信号がネットワークノード３００から送信される。したがって、一実施形態によれば、端末デバイス２００およびネットワークノード３００は、アクティブなシステム帯域幅を有する通信システムにおいて互いに通信し、単一のサブバンドは、アクティブなシステム帯域幅の全体に及ぶ。これにより、端末デバイス３００ａは、アクティブなシステム帯域全体を音声化することができる。この点に関して、アクティブシステム帯域幅は、端末デバイスごとに構成することができ、ネットワークノード３００が動作するように構成される帯域幅全体に及ぶ必要はない。いくつかの態様では、アクティブシステム帯域幅は、帯域幅部分（ＢＷＰ）に対応する。ＢＷＰは、所与のキャリア上の所与のヌメロロジーの共通リソースブロックの連続するサブセットから選択される、物理リソースブロックの連続するセットとして定義することができる。
【００４３】
他の態様では、第１の周波数区間は、少なくとも２つのサブバンドを含む。例えば、設定は、候補サブバンドのセットのインジケーションを含むことができる。このように、第１の周波数区間は、アップリンク参照信号が送信されることが許される候補サブバンドのセットに分割され得る。すなわち、一実施形態によれば、第１の周波数区間は、候補サブバンドのセットを含み、端末デバイス３００は、１つの単一のサブバンド上または２つ以上のサブバンド上のいずれかで送信電力を分配する。特に、第１の実施形態によれば、送信電力は、１つの単一サブバンドにわたってのみ分配される。同様に、第２の実施形態によれば、送信電力は、１つ未満のサブバンドにわたって分配される。さらに、第２の実施形態によれば、送信電力は、少なくとも２つのサブバンドのうちの少なくとも２つにわたって分配される。
【００４４】
後者の場合、送信電力が、連続したサブバンドにのみ分配されるという制約があるかもしれない。したがって、一実施形態によれば、少なくとも２つのサブバンドは連続している。さらに、少なくとも２つのサブバンドは、オーバーラップしておらず、同じサイズであってもよい。例えば、第１の周波数区間のインジケーションは、開始ＰＲＢインデックスｋ0と、連続するサブバンドのかずＮを含み得る。ここで、各サブバンドはサブバンドサイズＭを有する。いくつかの例では、Ｍは、最小ＳＲＳ帯域幅粒度Ｍmin ＰＲＢ（ここで、例えばＭmin = ４）の倍数であり、ここでＭ = ｘ・Ｍmin であり、ｘは整数である。別の実施形態によれば、少なくとも２つのサブバンドは不連続である。
【００４５】
いくつかの態様において、第２の周波数区間内での送信電力の均一な分配（分布）が存在する。すなわち、一実施形態によれば、送信電力は、第２の周波数区間内で均一に分配される。しかしながら、他の態様では、送信電力は、任意のサブバンドにおいて任意の電力レベルで分配されてもよい。したがって、送信電力は、異なるサブバンド上で異なるように分配され得る。これにより、端末デバイス２００は、チャネルが強いサブバンドに、より大きなパワースペクトル密度を割り当てることができ、したがって、アップリンク参照信号送信と共に高速フェージングを追跡することができる。特に、一実施形態によれば、チャネル情報は、高いチャネル品質を有する周波数部分と、高い品質未満を有する周波数部分とを示し、送信電力は、第１の周波数区間内で、高いチャネル品質を有する周波数部分に、高い品質未満を有する周波数部分よりも多くの送信電力が割り当てられるように、分配される。
【００４６】
いくつかの態様では、端末デバイス２００は、アップリンク参照信号の送信のための最大送信電力の情報を取得する。特に、一実施形態によれば、端末デバイス２００は、（オプションの）ステップＳ１０４を実行するように構成される：
【００４７】
Ｓ１０４：端末デバイス２００は、アップリンク参照信号の送信に使用される最大送信電力のインジケーションを取得する。次に、分配された送信電力は、最大送信電力に従って重み付けされる。
【００４８】
ステップＳ１０４が実行されると、ステップＳ１０８の前に実行される。
【００４９】
さらに、いくつかの態様では、サブバンドに対する可能な電力レベルがゼロまたはＰmax／Ｌに制約される。ここで、Ｐmaxは、アップリンク参照信号の送信電力であり、Ｌは、アップリンク参照信号送信のために選択されたサブバンドの数である。特に、一実施形態によれば、第１周波数区間における周波数帯域のセットに対してのみ非ゼロとなるように送信電力が分配される。周波数帯域のセットは、第２の周波数区間を定義することができる。第２の周波数区間は、連続していてもよい。
【００５０】
アップリンク参照信号は、サブキャリア上で送信され得る。次いで、アップリンク参照信号は、第２の周波数区間内に適合する（フィットする（fitting））数と同じ数のサブキャリアを使用して送信され得る。
【００５１】
いくつかの態様では、端末デバイス２００は、アップリンク参照信号が送信されるべき第２の周波数区間についてネットワークノード３００に通知する。特に、一実施形態によれば、端末デバイス２００は、（オプションの）ステップＳ１０６を実行するように構成される：
【００５２】
Ｓ１０６：端末デバイス２００は、アップリンクの参照信号を送信する前に、第２の周波数区間をネットワークノード３００に通知する。
【００５３】
ステップＳ１０６が実行されると、ステップＳ１０８の前に実行される。
【００５４】
一実施形態によれば、送信電力は、関数に従って分配される。非限定的な例として、シーケンス
2021521717.tif 000003
によって定義されるアップリンク参照信号の物理リソース
2021521717.tif 000004
へのマッピングは、文書３ＧＰ ＴＳ３８．２１１のセクション６．４．１．４．３の表記に従う以下の式によって説明される:
2021521717.tif 000005
この式では、βSRS(ｍ)は、サブバンドｍに対する電力スケーリングを示し、Ｍは、サブバンドサイズであり、ｋ’は、送信コム上の相対サブキャリアインデックスであり、ｌ’は、スロット内の相対ＯＦＤＭシンボルインデックスであり、ｋ0は、ＳＲＳ周波数割り当ての周波数開始位置であり、ｌ0は、ＯＦＤＭシンボル開始位置であり、ｐiは、ＳＲＳアンテナポートであり、Ｎapは、ＳＲＳリソース内のＳＲＳアンテナポートの数であり、ＭRSsc,bは、周波数割り当て内のサブキャリアの数であり、ＫTCは、送信コムサイズである。
【００５５】
上述のように、送信電力は、第１の周波数区間に対するチャネル情報に基づいて分配される。チャネル情報は一般に、端末デバイス２００とネットワークノード３００との間の無線伝搬チャネルの特性に関する。これら特性は、典型的には端末デバイス２００とネットワークノード３００との間の相互関係である。端末デバイス２００がチャネル情報を取得するための様々な方法があり得る。第１の実施形態によれば、チャネル情報は、ネットワークノード３００から取得される。第２の実施形態によれば、チャネル情報は、端末デバイス２００自身によって推定される。一例として、端末デバイス２００は、チャネル状態情報参照信号（ＣＳＩ-ＲＳ）上のようなダウンリンク参照信号に対して測定を行うことによって、チャネル情報を推定することができる。いくつかの態様では、推定に基づいてダウンリンク参照信号が上位レイヤ設定および/またはダウンリンク制御情報（ＤＣＩ）を介して定義される。ダウンリンク参照信号は、例えば、セル固有、デバイス固有、またはアップリンク参照信号固有であってもよい。他の態様では、端末デバイス２００がこの目的のために使用するデフォルトのダウンリンク参照信号がある。
【００５６】
アップリンク参照信号があるＳＩＮＲ目標に到達するための、ＵＬリンクバジェット、従って適切な周波数区間は、典型的には大部分が遅いフェージングチャネル特性に依存し、それは、かなりゆっくりと変化し得る。したがって、アップリンク参照信号の送信のために割り当てられる所望の周波数区間は、比較的長い時間にわたってほぼ同じであり得る。しかし、端末デバイス２００に向かうある無線伝搬チャネルに対して、周波数帯域のどの部分が最も強いかは、より速く変化するチャネルフェージング特性であり、より急速に変化し得る。無線伝搬チャネルが現在最も強くなっているアップリンク参照信号の送信電力を集中させることが有益である場合があるので、アップリンク参照信号が割り当てられる周波数区間を、そのように変更されるような第１の周波数区間よりも速い順序で変更することが有益である場合がある。
【００５７】
アップリンク参照信号の各発生（occurrence）が送信される前に、第１の周波数区間についての新しいチャネル情報を得ることによって、端末デバイス２００は、第１の周波数区間にわたる送信電力の分配を新しいチャネル情報に適応させることができる。いくつかの態様において、第１の周波数区間にわたる送信電力の分配は、したがって、アップリンク参照信号の異なる送信から変化する。すなわち、一実施形態によれば、アップリンク参照信号は、送信発生時に送信され、２つの隣接する送信発生時に送信されるアップリンク参照信号は、互いに異なる送信電力分布（分配）を有する。
【００５８】
アップリンク参照信号に対する送信発生を決定するための異なる方法があり得る。いくつかの態様では、ネットワークノード３００は、アップリンク参照信号をいつ送信するかについて端末デバイス２００に指示する。具体的には、一実施形態によれば、ステップＳ１０２で取得された設定は、端末デバイス２００がアップリンク参照信号を送信するためのインジケーションをさらに含み、アップリンク参照信号はその後、ステップＳ１１０で、それに応答して（すなわち、ステップＳ１０２でインジケーションを取得したことに応答して）送信される。
【００５９】
アップリンク参照信号には、さまざまな種類がある。一例によれば、アップリンク参照信号は、サウンディング参照信号（ＳＲＳ）である。次に、使用するＳＲＳは、ネットワークノード３００によって設定されたＳＲＳリソースのセットから選択され得る。分配された送信電力に従ったＳＲＳの送信は、ネットワークノード３００によってトリガされ得る。これにより、端末デバイス２００があるＳＲＳを送信することがトリガされると、端末デバイス２００は、第１の周波数区間についてのチャネル情報に基づいて分配されたその送信電力でＳＲＳを送信することができることを知る。さらに、端末デバイス２００がチャネル情報を推定するために、どのダウンリンク参照信号を測定すべきかを端末デバイス２００が知るように、あるダウンリンク参照信号を、ＳＲＳ、またはＳＲＳのセットに関連付けることができる。
【００６０】
ここで、一実施形態による、ネットワークノード３００によって実行されるアップリンク参照信号の送信を開始するための方法を示す図４を参照する。
【００６１】
上述したように、ステップＳ１０２において、端末デバイス２００は、アップリンク参照信号の送信の設定を取得する。したがって、ネットワークノード３００は、ステップＳ２０２を実行するように構成される：
【００６２】
Ｓ２０２：ネットワークノード３００は、端末デバイス２００からのアップリンク参照信号の送信の設定を端末デバイス２００に提供する。設定は、アップリンク参照信号が送信されるべき第１の周波数区間のインジケーションを含む。
【００６３】
上述したように、ステップＳ１１０において、端末デバイス２００は、アップリンク参照信号を送信する。アップリンク参照信号は、ネットワークノード３００によって受信されると仮定される。したがって、ネットワークノード３００は、ステップＳ２０８を実行するように構成される：
【００６４】
Ｓ２０８：ネットワークノード３００は、端末デバイス２００からアップリンク参照信号を受信する。アップリンク参照信号は、第１周波数区間に対するチャネル情報に基づいて分配されたそれぞれの（それらの）送信電力を有する。
【００６５】
ここで、ネットワークノード３００によって実行されるアップリンク参照信号の送信を開始することのさらなる詳細に関連する実施形態を開示する。
【００６６】
上述したように、いくつかの態様において、端末デバイス２００は、アップリンク参照信号の送信のための最大送信電力の情報を得る。したがって、一実施形態によれば、ネットワークノード３００は、（オプションの）ステップＳ２０４を実行するように構成される：
【００６７】
Ｓ２０４：ネットワークノード３００は、端末デバイス２００に対して、アップリンク参照信号の送信に用いる最大送信電力のインジケーションを提供する。
【００６８】
この点で、異なる制御ループを使用して、端末デバイス２００がどれだけの送信電力を使用すべきかを定義することができる。開ループ送信電力制御のために、ネットワークノード３００は、端末デバイス２００が送信電力を決定するために使用するパラメータ値をシグナリングすることができる。閉ループ送信電力制御の場合、ネットワークノード３００は、端末デバイス２００に送信電力を増減するように指示することができる。
【００６９】
ステップＳ２０４が実行されると、ステップＳ２０８の前に実行される。
【００７０】
さらに上述したように、いくつかの態様において、送信電力のみが、第２の周波数区間内で非ゼロとなるように分配される。次に、ネットワークノード３００が第２の周波数区間を決定するための異なる方法が存在し得る。
【００７１】
いくつかの態様によれば、上述したように、端末デバイス２００は、アップリンク参照信号が送信されるべき第２の周波数区間についてネットワークノード３００に通知することができる。したがって、一実施形態によれば、ネットワークノード３００は、（オプションの）ステップＳ２０６を実行するように構成される：
【００７２】
Ｓ２０６：ネットワークノード３００は、アップアップリンク参照信号を受信する前に、端末デバイス２００から第２の周波数区間の通知を取得する。
【００７３】
ステップＳ２０６が実行されると、ステップＳ２０８の前に実行される。
【００７４】
他の態様によれば、ネットワークノード３００ａは、第１の周波数区間のどの部分が端末デバイス２００によって選択されたかを検出するために、検出アルゴリズムを実行する。具体的には、一実施形態によれば、ネットワークノード３００は、（オプションの）ステップＳ２１０を実行するように構成される：
【００７５】
Ｓ２１０：ネットワークノード３００は、第２の周波数区間を決定するためにチャネル検出を実行する。
【００７６】
ステップＳ２１０が実行されると、ステップＳ２０８の後に実行される。
【００７７】
チャネル検出は、、ネットワークノード３００が、アップリンク参照信号が送信された第２の周波数区間を決定するために、第１の周波数区間（異なるサブバンドの場合など）において、参照信号受信電力などの電力を測定することを含んでもよい。チャネル検出は、追加的にまたは代替的に、ネットワークノード３００が、異なるサブバンドなどの第１の周波数区間の異なる部分についてチャネル推定誤差を計算することを含んでもよい。
【００７８】
ネットワークノード３００が、ステップＳ２０８においてアップリンク参照信号を受信すると、異なる方法で動作することができる。
【００７９】
いくつかの態様では、ネットワークノード３００は、チャネル推定の目的のために、受信されたアップリンク参照信号を利用する。具体的には、一実施形態によれば、ネットワークノード３００は、（オプションの）ステップＳ２１２を実行するように構成される。
【００８０】
Ｓ２１２：ネットワークノード３００は、受信したアップリンク参照信号に基づいてチャネル推定を実行する。
【００８１】
いくつかの態様では、ネットワークノード３００は、端末デバイス２００へのダウンリンクビームフォーミングを実行するときにチャネル推定を利用する。特に、一実施形態によれば、ネットワークノード３００は（オプションの）ステップＳ２１４およびＳ２１６を実行するように構成される。
【００８２】
Ｓ２１４：ネットワークノード３００は、チャネル推定に基づいてビームフォーミング重みを選択する。
【００８３】
ビームフォーミング重みは、ＤＬプリコーダ重みであってもよい。
【００８４】
Ｓ２１６：ネットワークノード３００は、端末デバイス２００へのダウンリンク送信中にビームフォーミング重みを適用する。
【００８５】
図５は、周波数の関数としてのＲＳＲＰに関して、チャネル状態５００の第１のセットを概略的に示す。図５の例示的な例では、端末デバイス２００は、１１のサブバンド５１０のセットにおける１つのサブバンド５２０を選択することによって、アップリンク参照信号の送信電力を分配することである。サブバンド５１０のセットは、第１の周波数区間５４０をカバーする。選択されたサブバンド５２０は、チャネル状態５００が最も高いＲＳＲＰを有するサブバンドである。したがって、この例では、端末デバイス２００は、所定の候補サブバンドのセット５１０から１つの全サブバンド５２０を選択する。所定の候補サブバンド５１０を使用することによって、端末デバイス２００がアップリンク参照信号の送信のために選択した第１の周波数区間５４０の一部のネットワークノード３００での検出がより容易になる。
【００８６】
図６は、周波数の関数としてのＲＳＲＰに関して、チャネル状態６００の第２のセットを概略的に示す。図６の例示的な例では、端末デバイス２００は、チャネル状態５００が閾値ＲＳＲＰ値６４０を上回るＲＳＲＰ値を有する１０個のサブバンドのセット６１０において、それらのサブバンド６２０ａ、６２０ｂの部分６３０ａ、６３０ｂのみに、アップリンク参照信号の送信電力を分配することになる。サブバンドのセット６１０は、第１の周波数区間６４０をカバーする。さらに、この例では、部分６３０ａのＲＳＲＰは部分６３０ｂのＲＳＲＰよりも高いので、部分６３０ａには部分６３０ｂよりも多くの送信電力が割り当てられる。この例では、アップリンク参照信号が送信される実際に選択された周波数区間は、したがって、２つの部分６３０ａ、６３０ｂを含み、各部分６３０ａ、６３０ｂは、周波数に関して、１つのサブバンド全体６２０ａ、６２０ｂよりもより短い。このようにして、ネットワークノード３００は、例えば、各候補サブバンド６１０について平均ＲＳＲＰおよび/または平均チャネル推定誤差を算出することができ、ＲＳＲＰがある閾値を超える場合、および/または、チャネル推定誤差が１つまたは複数のサブバンド６２０ａ、６２０ｂについてある閾値未満である場合、ネットワークノード３００は、アップリンク参照信号が送信される部分６３０ａ、６３０ｂの１つ以上は、この１つまたは複数のサブバンド６２０ａ、６２０ｂ内にあると仮定することができる。
【００８７】
ここで、上述した実施形態の少なくともいくつかに基づいて、アップリンク参照信号を送信し、それを開始するための１つの特定の実施形態が、図７のシグナリング図を参照して詳細に開示される。
【００８８】
Ｓ３０１：端末デバイス２００は、ＳＲＳがアクティブシステム帯域幅全体をカバーするデフォルト構成、例えば、図１（ａ）または図１（ｂ）のようなデフォルト構成に従って、ＳＲＳをネットワークノード３００に向けて送信する。
【００８９】
Ｓ３０２：ネットワークノード３００は、ＳＲＳリンクバジェットが（例えば、チャネル推定誤差を分析することによって）不十分すぎて、相互関係ベースのＤＬビームフォーミングに適切に使用できないことを検出する。
【００９０】
Ｓ３０３：ネットワークノード３００は、新しいＳＲＳ送信を用いて端末デバイス２００を設定し、端末デバイス２００は、第１の周波数区間にわたってＳＲＳの送信電力をどのように分配するかを（例えば、ＤＬ参照信号からの相互関係に基づいて）決定することができる。
【００９１】
Ｓ３０４：ネットワークノード３００は、ＳＲＳの送信の設定を端末デバイス２００に提供する。ステップＳ３０４を実施する１つの方法は、ステップＳ１０２およびステップＳ２０２を実行することである。
【００９２】
Ｓ３０５：端末デバイス２００は、第１の周波数区間に対するチャネル情報に基づいて、第１の周波数区間にわたってＳＲＳを送信するために利用可能な送信電力を分配する。ステップＳ３０５を実施する１つの方法は、ステップＳ１０８を実行することである。
【００９３】
Ｓ３０６：端末デバイス２００は、分配された送信電力に従ってＳＲＳを送信する。ステップＳ３０６を実施する１つの方法は、ステップＳ１１０およびステップＳ２０８を実行することである。
【００９４】
Ｓ３０７：ネットワークノード３００は、ＳＲＳの位置を推定するために、送信電力が第１の周波数区間にわたってどのように分配されるかを決定するために、チャネル検出を実行する。ステップＳ３０７を実施する１つの方法は、ステップＳ２１０を実行することである。
【００９５】
Ｓ３０８：ネットワークノード３００は、受信されたＳＲＳに基づいてチャネル推定を実行し、チャネル推定に基づいて相互関係ベースのＤＬビームフォーミングのためのビームフォーミング重みを選択する。ステップＳ３０８を実施する１つの方法は、ステップＳ２１２およびステップＳ２１４を実行することである。
【００９６】
Ｓ３０９：ネットワークノード３００は、ビームフォーミング重みを適用しながら、端末デバイス２００へのＤＬ送信を行う。ステップＳ３０９を実施する１つの方法は、ステップＳ２１６を実行することである。
【００９７】
図８は、一実施形態による端末デバイス２００の構成要素を、いくつかの機能ユニットに関して概略的に示す。処理回路２１０は、（図１２に示すように）例えば記憶媒体２３０の形式でコンピュータプログラム製品１２１０ａに記憶されたソフトウェア命令を実行することができる、適切な中央演算処理装置（ＣＰＵ）、マルチプロセッサ、マイクロコントローラ、デジタル信号プロセッサ（ＤＳＰ）などのうちの１つまたは複数の任意の組合せを使用して提供される。処理回路２１０はさらに、少なくとも１つの特定用途向け集積回路（ＡＳＩＣ）、またはフィールドプログラマブルゲートアレイ（ＦＰＧＡ）として提供されてもよい。
【００９８】
特に、処理回路２１０は先に開示したように、端末デバイス２００に動作のセット、すなわちステップＳ１０２〜Ｓ１１０を行わせるように構成される。例えば、記憶媒体２３０は動作のセットを記憶することができ、処理回路２１０は端末デバイス２００に動作のセットを実行させるために、記憶媒体２３０から動作のセットを取り出すように構成されることができる。動作のセットは、実行可能命令のセットとして提供されてもよい。したがって、処理回路２１０は、本明細書で開示される方法を実行するように構成される。
【００９９】
記憶媒体２３０はまた、例えば、磁気メモリ、光メモリ、ソリッドステートメモリ、または遠隔に取り付けられたメモリのいずれか１つ、またはそれらの組合せとすることができる永続的記憶装置を含むことができる。
【０１００】
端末デバイス２００は、通信ネットワーク１００の他のエンティティ、ノード、機能、および装置と通信するための通信インターフェース２２０をさらに備えることができる。したがって、通信インターフェース２２０は、アナログおよびデジタル構成要素を備える１つまたは複数の送信機および受信機を備えることができる。
【０１０１】
処理回路２１０は例えば、通信インターフェース２２０および記憶媒体２３０にデータおよび制御信号を送信することによって、通信インターフェース２２０からデータおよびレポートを受信することによって、ならびに記憶媒体２３０からデータおよび命令を取り出すことによって、端末デバイス２００の一般的な動作を制御する。端末デバイス２００の他の構成要素、ならびに関連する機能は、本明細書で提示される概念を曖昧にしないために省略される。
【０１０２】
図９は、一実施形態による端末デバイス２００の構成要素を、いくつかの機能モジュールに関して概略的に示す。図９の端末デバイス２００は、いくつかの機能モジュールと、ステップＳ１０２を実行するように構成された取得モジュール２１０ａと、ステップＳ１０８を実行するように構成された分配モジュール２１０ｄと、ステップＳ１１０を実行するように構成された送信モジュール２１０ｅとを備える。図９の端末デバイス２００は、ステップＳ１０４を実行するように構成された取得モジュール２１０ｂ、およびステップＳ１０６を実行するように構成された通知モジュール２１０ｃのいずれかなど、いくつかのオプションの機能モジュールをさらに備えることができる。一般的に、各機能モジュール２１０ａ〜２１０ｅは、ハードウェアまたはソフトウェアで実施することができる。好ましくは、１つ以上または全ての機能モジュール２１０ａ〜２１０ｅがおそらく通信インターフェース２２０および/または記憶媒体２３０と協働して、処理回路２１０によって実装されてもよい。したがって、処理回路２１０は記憶媒体２３０から、機能モジュール２１０ａ〜２１０ｅによって提供される命令をフェッチし、これらの命令を実行するように構成されてもよく、それによって、本明細書で開示される端末デバイス２００の任意のステップを実行する。
【０１０３】
図１０は、いくつかの機能ユニットに関して、一実施形態によるネットワークノード３００の構成要素を概略的に示す。処理回路３１０は（図１２に示すように）コンピュータプログラム製品１２１０ｂに、例えば記憶媒体３３０の形式で記憶されたソフトウェア命令を実行することができる、適切な中央演算処理装置（ＣＰＵ）、マルチプロセッサ、マイクロコントローラ、デジタル信号プロセッサ（ＤＳＰ）などのうちの１つまたは複数の任意の組合せを使用して提供される。処理回路３１０はさらに、少なくとも１つの特定用途向け集積回路（ＡＳＩＣ）、またはフィールドプログラマブルゲートアレイ（ＦＰＧＡ）として提供されてもよい。
【０１０４】
特に、処理回路３１０は上述のように、ネットワークノード３００に動作のセット、すなわちステップＳ２０２〜Ｓ２１６を実行させるように構成される。例えば、記憶媒体３３０は動作のセットを記憶することができ、処理回路３１０は、記憶媒体３３０から動作のセットを取り出して、ネットワークノード３００に動作のセットを実行させるように構成することができる。動作のセットは、実行可能命令のセットとして提供されてもよい。したがって、処理回路３１０は、本明細書で開示される方法を実行するように構成される。
【０１０５】
記憶媒体３３０はまた、例えば、磁気メモリ、光メモリ、ソリッドステートメモリ、または遠隔に取り付けられたメモリのいずれか１つ、またはそれらの組合せとすることができる永続的記憶装置を含むことができる。
【０１０６】
ネットワークノード３００は、通信ネットワーク１００の他のエンティティ、ノード、機能、およびデバイスと通信するための通信インターフェース３２０をさらに備えることができる。したがって、通信インターフェース３２０は、アナログおよびデジタル構成要素を備える１つまたは複数の送信機および受信機を備えることができる。
【０１０７】
処理回路３１０は例えば、通信インターフェース３２０および記憶媒体３３０にデータおよび制御信号を送信することによって、通信インターフェース３２０からデータおよびレポートを受信することによって、ならびに記憶媒体３３０からデータおよび命令を取り出すことによって、ネットワークノード３００の一般的な動作を制御する。ネットワークノード３００の他の構成要素、ならびに関連する機能は、本明細書で提示される概念を曖昧にしないために省略される。
【０１０８】
図１１は、いくつかの機能モジュールに関して、一実施形態によるネットワークノード３００の構成要素を概略的に示す。図１１のネットワークノード３００は、いくつかの機能モジュールと、ステップＳ２０２を実行するように構成された提供モジュール３１０ａと、ステップＳ１０８を実行するように構成された受信モジュール３１０ｄとを備える。図１１のネットワークノード３００は、ステップＳ２０４を実行するように構成された提供モジュール３１０ｂ、ステップＳ２０６を実行するように構成された取得モジュール３１０ｃ、ステップＳ２１０を実行するように構成されたチャネル検出モジュール３１０ｅ、ステップＳ２１２を実行するように構成されたチャネル推定モジュール３１０ｆ、ステップＳ２１４を実行するように構成された選択モジュール３１０ｇ、ステップＳ２１６を実行するように構成された適用モジュール３１０ｈのうちの任意のものなど、いくつかの任意選択の機能モジュールをさらに備えることができる。
【０１０９】
一般的には、各機能モジュール３１０ａ〜３１０ｈは、ハードウェアまたはソフトウェアで実施することができる。好ましくは、１つ以上または全ての機能モジュール３１０ａ〜３１０ｈがおそらく通信インターフェース３２０および/または記憶媒体３３０と協働して、処理回路３１０によって実装されてもよい。したがって、処理回路３１０は記憶媒体３３０から、機能モジュール３１０ａ〜３１０ｈによって提供される命令をフェッチし、これらの命令を実行するように構成され、それによって、本明細書で開示されるネットワークノード３００の任意のステップを実行することができる。
【０１１０】
ネットワークノード３００は、スタンドアロンデバイスとして、または少なくとも１つのさらなるデバイスの一部として提供され得る。例えば、ネットワークノード３００は、無線アクセスネットワーク１１０のノード（図２の例示的な例のように）またはコアネットワーク１２０のノード内に設けられてもよい。あるいは、ネットワークノード３００の機能性が少なくとも２つのデバイス、すなわちノード間で分配されてもよい。これらの少なくとも２つのノードまたはデバイスは、同じネットワーク部分（無線アクセスネットワーク１１０またはコアネットワーク１２０など）の一部であってもよく、または少なくとも２つのそのようなネットワーク部分の間に分散されてもよい。一般的に言えば、リアルタイムで実行されることが必要とされる命令は、リアルタイムで実行されることが必要とされない命令よりもＴＲＰ４００に動作的に近いデバイスまたはノードにおいて実行され得る。
【０１１１】
したがって、ネットワークノード３００によって実行される命令の第１の部分は第１のデバイスにおいて実行されてもよく、ネットワークノード３００によって実行される命令の第２の部分は第２のデバイスにおいて実行されてもよく、本明細書で開示される実施形態はネットワークノード３００によって実行される命令が実行されてもよい任意の特定の数のデバイスに限定されない。したがって、本明細書で開示される実施形態による方法は、クラウド計算環境に存在するネットワークノード３００によって実行されるのに適している。したがって、単一の処理回路３１０が図１０に示されているが、処理回路３１０は複数の装置またはノードの間で分散させることができる。図１１の機能モジュール３１０ａ〜３１０ｈおよび図１２のコンピュータプログラム１２２０ｂについても同様である。
【０１１２】
図１２は、コンピュータ可読手段１２３０を備えるコンピュータプログラム製品１２１０ａ、１２１０ｂの一例を示す。このコンピュータ可読手段１２３０上に、コンピュータプログラム１２２０ａを格納することができ、このコンピュータプログラム１２２０ａは通信インターフェース２２０および記憶媒体２３０などの、処理回路２１０およびそれに動作可能に結合されたエンティティおよびデバイスに、本明細書で説明する実施形態による方法を実行させることができる。したがって、コンピュータプログラム１２２０ａおよび/またはコンピュータプログラム製品１２１０ａは、本明細書で開示する端末デバイス２００の任意のステップを実行するための手段を提供することができる。このコンピュータ可読手段１２３０上に、コンピュータプログラム１２２０ｂを格納することができ、このコンピュータプログラム１２２０ｂは通信インターフェース３２０および記憶媒体３３０などの、処理回路３１０およびそれに動作可能に結合されたエンティティおよびデバイスに、本明細書で説明する実施形態による方法を実行させることができる。したがって、コンピュータプログラム１２２０ｂおよび/またはコンピュータプログラム製品１２１０ｂは、本明細書で開示するネットワークノード３００の任意のステップを実行するための手段を提供することができる。
【０１１３】
図１２の例では、コンピュータプログラム製品１２１０ａ、１２１０ｂがＣＤ（コンパクトディスク）またはＤＶＤ（デジタル汎用ディスク）またはＢｌｕ-Ｒａｙディスクのような光ディスクとして図示されている。コンピュータプログラム製品１２１０ａ、１２１０ｂはまた、ランダムアクセスメモリ（ＲＡＭ）、リードオンリーメモリ（ＲＯＭ）、消去可能プログラマブルリードオンリーメモリ（ＥＰＲＯＭ）、または電気的消去可能プログラマブルリードオンリーメモリ（ＥＥＰＲＯＭ）のようなメモリとして、より詳細には、ＵＳＢ（ユニバーサルシリアルバス）メモリまたはコンパクトなフラッシュメモリのようなフラッシュメモリのような外部メモリの装置の不揮発性記憶媒体として具現化することができる。したがって、コンピュータプログラム１２２０ａ、１２２０ｂはここでは図示された光ディスク上のトラックとして概略的に示されているが、コンピュータプログラム１２２０ａ、１２２０ｂはコンピュータプログラム製品１２１０ａ、１２１０ｂに適した任意の方法で格納することができる。
【０１１４】
本発明の概念は主に、いくつかの実施形態を参照して上述された。しかしながら、当業者には容易に理解されるように、上記に開示されたもの以外の他の実施形態も、添付の特許請求の範囲によって定義されるように、本発明の概念の範囲内で等しく可能である。
【図１】
2021521717.tif 000006
【図２】
2021521717.tif 000007
【図３】
2021521717.tif 000008
【図４】
2021521717.tif 000009
【図５】
2021521717.tif 000010
【図６】
2021521717.tif 000011
【図７】
2021521717.tif 000012
【図８】
2021521717.tif 000013
【図９】
2021521717.tif 000014
【図１０】
2021521717.tif 000015
【図１１】
2021521717.tif 000016
【図１２】
2021521717.tif 000017
【国際調査報告】
2021521717.tif 000018
2021521717.tif 000019
2021521717.tif 000020